【手続補正書】
【提出日】平成27年3月19日(2015.3.19)
【手続補正１】
【補正対象書類名】特許請求の範囲
【補正対象項目名】全文
【補正方法】変更
【補正の内容】
【特許請求の範囲】
【請求項１】
ユーザ装置と、
前記ユーザ装置と無線通信可能な複数の基地局と、
複数のサービングゲートウェイと、
ユーザデータ信号を伝送する経路であって前記基地局と前記サービングゲートウェイとに設定される論理経路であるユーザプレーン経路を制御する交換局と
を備え、
前記複数の基地局には、
制御信号を伝送する経路であって前記交換局に対して設定される論理経路である制御プレーン経路を有する第１基地局と、
前記交換局に対する制御プレーン経路を有さない第２基地局とが含まれ、
前記ユーザ装置は、
各基地局から受信した無線信号の受信品質に関する測定情報と前記各測定情報に対応する基地局の識別情報とを含む報告情報を、無線接続中の第１基地局に報告する報告部を備え、
前記第１基地局は、
前記ユーザ装置から報告された前記測定情報に基づいて、当該測定情報に対応する基地局を１つの端点とするユーザプレーン経路を設定すべきか否かを判定する経路設定判定部と、
前記ユーザ装置から報告された前記識別情報に基づいて、当該識別情報に対応する基地局が第２基地局であるか否かを判定する基地局判定部とを備える
無線通信システム。
【請求項２】
前記第１基地局は、
前記経路設定判定部が前記ユーザプレーン経路を設定すべきと判定した場合であって、前記ユーザプレーン経路の１つの端点となるべき基地局が第２基地局であると前記基地局判定部が判定したときに、前記交換局に対し、前記制御プレーン経路を介して、前記ユーザプレーン経路を設定することを要求する経路設定要求を送信する経路設定要求部を備え、
前記交換局は、
前記経路設定要求が設定することを要求する前記ユーザプレーン経路の別の端点となるサービングゲートウェイを選択するゲートウェイ選択部を備える
請求項１に記載の無線通信システム。
【請求項３】
前記交換局は、
複数の第２基地局の識別情報を記憶する基地局リストを生成する基地局リスト生成部と、
生成された前記基地局リストを前記第１基地局に動的に送信する基地局リスト送信部とを備える
請求項１または請求項２の無線通信システム。
【請求項４】
ユーザ装置と、
前記ユーザ装置と無線通信可能な複数の基地局と、
複数のサービングゲートウェイと、
ユーザデータ信号を伝送する経路であって前記基地局と前記サービングゲートウェイとに設定される論理経路であるユーザプレーン経路を制御する交換局と
を備え、
前記複数の基地局には、
制御信号を伝送する経路であって前記交換局に対して設定される論理経路である制御プレーン経路を有する第１基地局と、
前記交換局に対する制御プレーン経路を有さない第２基地局とが含まれ、
前記ユーザ装置は、
各基地局から受信した無線信号の受信品質に関する測定情報と前記各測定情報に対応する基地局の識別情報とを含む報告情報を、無線接続中の第１基地局に報告する報告部を備え、
前記第１基地局は、
前記ユーザ装置から報告された前記報告情報を、前記制御プレーン経路を介して前記交換局に送信する基地局送信部を備え、
前記交換局は、
前記ユーザ装置から報告された前記測定情報に基づいて、当該測定情報に対応する基地局を１つの端点とするユーザプレーン経路を設定すべきか否かを判定する経路設定判定部と、
前記ユーザ装置から報告された前記識別情報に基づいて、当該識別情報に対応する基地局が第２基地局であるか否かを判定する基地局判定部とを備える
無線通信システム。
【請求項５】
前記交換局は、
前記経路設定判定部が前記ユーザプレーン経路を設定すべきと判定した場合であって、前記ユーザプレーン経路の１つの端点となるべき基地局が第２基地局であると前記基地局判定部が判定したときに、当該第２基地局を１つの端点とする前記ユーザプレーン経路の別の端点となるサービングゲートウェイを選択するゲートウェイ選択部を備える
請求項４に記載の無線通信システム。
【請求項６】
ユーザ装置と、
前記ユーザ装置と無線通信可能な複数の基地局と、
複数のサービングゲートウェイと、
ユーザデータ信号を伝送する経路であって前記基地局と前記サービングゲートウェイとに設定される論理経路であるユーザプレーン経路を制御する交換局と
を備え、
前記複数の基地局には、
制御信号を伝送する経路であって前記交換局に対して設定される論理経路である制御プレーン経路を有する第１基地局と、
前記交換局に対する制御プレーン経路を有さない第２基地局とが含まれ、
前記ユーザ装置は、
各基地局から受信した無線信号の受信品質に関する測定情報を取得する測定情報取得部と、
前記各測定情報に対応する基地局の識別情報を取得する識別情報取得部と、
前記識別情報取得部が取得した前記識別情報に基づいて、当該識別情報に対応する基地局が第２基地局であるか否かを判定する基地局判定部と、
前記各測定情報と、当該測定情報に対応する基地局の前記識別情報と、当該識別情報に対応する基地局が第２基地局であるか否かを示す判定情報とを含む報告情報を、無線接続中の第１基地局に報告する報告部を備え、
前記第１基地局は、
前記ユーザ装置から報告された前記報告情報を、前記制御プレーン経路を介して前記交換局に送信する基地局送信部を備え、
前記交換局は、
前記第１基地局から送信された前記報告情報に含まれる前記測定情報に基づいて、当該測定情報に対応する基地局を１つの端点とするユーザプレーン経路を設定すべきか否かを判定する経路設定判定部と、
前記経路設定判定部が前記ユーザプレーン経路を設定すべきと判定した場合であって、前記報告情報に含まれる前記判定情報が、前記ユーザプレーン経路の１つの端点となるべき基地局が第２基地局であることを示すときに、前記ユーザプレーン経路の別の端点となるサービングゲートウェイを選択するゲートウェイ選択部とを備える
無線通信システム。
【請求項７】
前記交換局は、
前記ゲートウェイ選択部が選択した、前記ユーザプレーン経路の別の端点となる前記サービングゲートウェイに対し、前記サービングゲートウェイと前記第２基地局とに前記ユーザプレーン経路を設定することを指示する第１経路設定指示を送信する経路制御部を備え、
前記サービングゲートウェイは、
前記交換局からの前記第１経路設定指示の受信に応じて、当該サービングゲートウェイの識別情報を含む第１経路設定指示応答を前記交換局に送信する応答部を備え、
前記交換局の前記経路制御部は、
前記サービングゲートウェイからの前記第１経路設定指示応答の受信に応じて、前記サービングゲートウェイの前記識別情報を含む第２経路設定指示を、前記制御プレーン経路を介して前記第１基地局に送信し、
前記第１基地局は、
前記第２経路設定指示を前記第２基地局に転送する転送部を備え、
前記第２基地局は、
前記第１基地局から転送された前記第２経路設定指示に含まれる前記サービングゲートウェイの前記識別情報を用いて、上りリンクの前記ユーザプレーン経路を設定する経路設定部と、
上りリンクの前記ユーザプレーン経路が設定された後に、当該第２基地局の識別情報を含む第２経路設定指示応答を前記第１基地局に送信する応答部とを備え、
前記第１基地局の前記転送部は、
前記第２経路設定指示応答を前記制御プレーン経路を介して前記交換局に転送し、
前記交換局の前記経路制御部は、
前記第１基地局からの前記第２経路設定指示応答の受信に応じて、前記第２基地局の前記識別情報を含む第３経路設定指示を前記サービングゲートウェイに送信し、
前記サービングゲートウェイは、
前記交換局から送信された前記第３経路設定指示に含まれる前記第２基地局の前記識別情報を用いて、下りリンクの前記ユーザプレーン経路を設定する経路設定部を備える
請求項２、５および６のいずれか１項に記載の無線通信システム。
【請求項８】
前記第１基地局は、
前記第２基地局に対して設定される、複数のプロトコルレイヤを有する第１インタフェースと、前記交換局に対して設定される、複数のプロトコルレイヤを有する第２インタフェースとを有し、
前記第１基地局の前記転送部は、
前記複数のプロトコルレイヤのいずれかに対応する宛先ノードの識別情報を書き換えることにより、前記交換局からの制御情報を前記第２基地局へ転送し、前記第２基地局からの制御情報を前記交換局へ転送する
請求項７に記載の無線通信システム。
【請求項９】
前記第１基地局の前記転送部は、
前記複数のプロトコルレイヤに含まれるＩＰレイヤに対応する識別情報であるＩＰアドレスを書き換えることにより、前記交換局からの制御情報を前記第２基地局へ転送し、前記第２基地局からの制御情報を前記交換局へ転送する
請求項８に記載の無線通信システム。
【請求項１０】
前記交換局は、
前記第１基地局から送信された前記経路設定要求の受信に応じて、前記ゲートウェイ選択部が選択した前記ユーザプレーン経路の別の端点となる前記サービングゲートウェイに対する経路設定要求を送信する要求送信部を備え、
前記サービングゲートウェイは、
前記交換局からの前記経路設定要求の受信に応じて、当該サービングゲートウェイの識別情報を含む経路設定要求完了応答を前記交換局に送信する応答部を備え、
前記交換局は、
前記サービングゲートウェイからの前記経路設定要求完了応答の受信に応じて、前記サービングゲートウェイの前記識別情報を含む、前記第１基地局に対する経路設定要求完了応答を送信する応答送信部を備え、
前記第１基地局の前記経路設定要求部は、
前記交換局からの前記経路設定要求完了応答の受信に応じて、前記サービングゲートウェイの前記識別情報を含む経路設定要求を前記第２基地局に送信し、
前記第２基地局は、
前記第１基地局から送信された前記経路設定要求に含まれる前記サービングゲートウェイの前記識別情報を用いて、上りリンクの前記ユーザプレーン経路を設定する経路設定部と、
上りリンクの前記ユーザプレーン経路が設定された後に、当該第２基地局の識別情報を含む経路設定要求完了応答を前記第１基地局に送信する応答部とを備え、
前記第１基地局の前記経路設定要求部は、
前記第２基地局からの前記経路設定要求完了応答の受信に応じて、前記第２基地局の前記識別情報を含む経路変更要求を前記交換局に送信し、
前記交換局の前記要求送信部は、
前記第１基地局からの前記経路変更要求の受信に応じて、前記サービングゲートウェイに対する経路変更要求を送信し、
前記サービングゲートウェイは、
前記交換局から送信された前記経路変更要求に含まれる前記第２基地局の前記識別情報を用いて、下りリンクの前記ユーザプレーン経路を設定する経路設定部を備える
請求項２に記載の無線通信システム。
【手続補正２】
【補正対象書類名】明細書
【補正対象項目名】００４２
【補正方法】変更
【補正の内容】
【００４２】
ユーザ装置ＵＥの無線通信部１１０は、近傍の各基地局（第１基地局ｅＮＢ、第２基地局ＰｈＮＢ）から無線信号を受信する。ユーザ装置ＵＥの測定情報取得部１３２は各基地局から受信した無線信号の受信品質に関する測定情報を取得する（S100）。より具体的には、ユーザ装置ＵＥの測定情報取得部１３２は、各基地局（第１基地局ｅＮＢ、第２基地局ＰｈＮＢ）が送信する無線信号に含まれる参照信号の受信電力（又は受信品質）を測定情報として取得する。また、ユーザ装置ＵＥの識別情報取得部１３４は、各基地局が送信する無線信号に含まれるその基地局の識別情報（物理セルＩＤ）を取得する。すなわち、ユーザ装置ＵＥの識別情報取得部１３４は受信した各測定情報に対応する基地局の識別情報を取得する（S100）。その後、ユーザ装置ＵＥの報告部１３８は、基地局毎に取得した測定情報および識別情報を含むMeasurement Reportメッセージ（報告情報）を、無線接続中の第１基地局に送信（報告）する（S120）。
【手続補正３】
【補正対象書類名】明細書
【補正対象項目名】００４７
【補正方法】変更
【補正の内容】
【００４７】
第２基地局ＰｈＮＢの経路設定部３４２は、第１基地局ｅＮＢから転送されたBearer Setup Requirementメッセージに含まれる第２サービングゲートウェイＳＧＷ２の識別情報を用いて、上りリンクのＳ１−ＵベアラＳ１Ｂ−Ｕを設定する（S620）。上りリンクのＳ１−ＵベアラＳ１Ｂ−Ｕが設定されると、応答部３４４は、以上のベアラ設定が完了したことを示す、第２基地局ＰｈＮＢの識別情報を含むSetup Completeメッセージ（第２経路設定指示応答）を第１基地局ｅＮＢに送信する（S640）。第１基地局ｅＮＢの転送部２５２は、第２基地局ＰｈＮＢから送信されたSetup Completeメッセージを、Ｃプレーン経路を介して交換局ＭＭＥに転送する（S660）。
【手続補正４】
【補正対象書類名】明細書
【補正対象項目名】００４８
【補正方法】変更
【補正の内容】
【００４８】
交換局ＭＭＥの経路制御部４４２は、第１基地局ｅＮＢから転送されたSetup Completeメッセージを受信すると、そのSetup Completeメッセージが含む第２基地局ＰｈＮＢの識別情報を含めたBearer Setup Requirementメッセージ（第３経路設定指示）を生成し（S680）、第２サービングゲートウェイＳＧＷ２に送信する（S700）。第２サービングゲートウェイＳＧＷ２の経路設定部５３６は、交換局ＭＭＥから送信されたBearer Setup Requirementメッセージに含まれる第２基地局ＰｈＮＢの識別情報を用いて、下りリンクのＳ１−ＵベアラＳ１Ｂ−Ｄを設定する（S720）。第２サービングゲートウェイＳＧＷ２の経路設定部５３６は、下りリンクのＳ１−ＵベアラＳ１Ｂ−Ｄが設定されると、Setup Completeメッセージ（第３経路設定指示応答）を交換局ＭＭＥに送信する（S740）。以上の動作により、双方向的に通信可能なＳ１−ＵベアラＳ１Ｂが設定される。なお、Ｓ１−ＵベアラＳ１Ｂの設定後も、ユーザ装置ＵＥと第１基地局ｅＮＢとに確立されたＣプレーン経路（シグナリング無線ベアラ）は維持される。
以降、以上のステップS500からS740までの第１実施形態のＳ１−Ｕベアラ設定動作を、纏めてステップS50と称する。
【手続補正５】
【補正対象書類名】明細書
【補正対象項目名】００６１
【補正方法】変更
【補正の内容】
【００６１】
第１基地局ｅＮＢの経路設定要求部２５０は、交換局ＭＭＥからBearer Setup Ackメッセージを受信すると、第２サービングゲートウェイＳＧＷ２の識別情報を含むBearer Setup Requirementメッセージ（経路設定要求）を生成し（S590）、第２基地局ＰｈＮＢに送信する（S610）。第２基地局ＰｈＮＢの経路設定部３４２は、第１基地局ｅＮＢの経路設定要求部２５０から送信されたBearer Setup Requirementメッセージに含まれる第２サービングゲートウェイＳＧＷ２の識別情報を用いて、上りリンクのＳ１−ＵベアラＳ１Ｂ−Ｕを設定する（S630）。上りリンクのＳ１−ＵベアラＳ１Ｂ−Ｕが設定されると、応答部３４４は、以上のベアラ設定が完了したことを示す、第２基地局ＰｈＮＢの識別情報を含むSetup Completeメッセージ（経路設定要求完了応答）を第１基地局ｅＮＢに送信する（S650）。
【手続補正６】
【補正対象書類名】明細書
【補正対象項目名】００６２
【補正方法】変更
【補正の内容】
【００６２】
第１基地局ｅＮＢの経路設定要求部２５０は、Setup Completeメッセージを受信すると、第２基地局ＰｈＮＢの識別情報を含むBearer Modify Requestメッセージ（経路変更要求）を生成し（S670）、Ｃプレーン経路を介して交換局ＭＭＥに送信する（S690）。交換局ＭＭＥの要求送信部４４４は、第１基地局ｅＮＢの経路設定要求部２５０からのBearer Modify Requestメッセージを受信すると、第２サービングゲートウェイＳＧＷ２に対するBearer Modify Requestメッセージを送信する（S710）。第２サービングゲートウェイＳＧＷ２の経路設定部５３６は、交換局ＭＭＥから送信されたBearer Modify Requestメッセージに含まれる第２基地局ＰｈＮＢの識別情報を用いて、下りリンクのＳ１−ＵベアラＳ１Ｂ−Ｄを設定する（S730）。第２サービングゲートウェイＳＧＷ２の経路設定部５３６は、下りリンクのＳ１−ＵベアラＳ１Ｂ−Ｄが設定されると、Modify Completeメッセージ（経路変更要求完了応答）を交換局ＭＭＥに送信する（S750）。交換局ＭＭＥの応答送信部４４６は、第２サービングゲートウェイＳＧＷ２からのModify Completeメッセージを第１基地局ｅＮＢに送信する（S770）。以上の動作により、双方向的に通信可能なＳ１−ＵベアラＳ１Ｂが設定される。なお、Ｓ１−ＵベアラＳ１Ｂの設定後も、ユーザ装置ＵＥと第１基地局ｅＮＢとに確立されたＣプレーン経路（シグナリング無線ベアラ）は維持される。
以降、以上のステップS510からS770までの第２実施形態のＳ１−Ｕベアラ設定動作を、纏めてステップS52と称する。
【手続補正７】
【補正対象書類名】明細書
【補正対象項目名】００８０
【補正方法】変更
【補正の内容】
【００８０】
以上のステップS32が完了すると、前述と同様に、交換局ＭＭＥは、Ｓ１−ＵベアラＳ１Ｂの別の端点として選択されたサービングゲートウェイＳＧＷを把握している状態となるから、ステップS32の完了後には、第１実施形態のステップS50によるＳ１−Ｕベアラ設定動作が実行されてもよいし、第２実施形態のステップS52によるＳ１−Ｕベアラ設定動作が実行されてもよい。